(57)【要約】【課題】本発明は、フィルム破れや糸切れ、フィルムや繊維の外観不良の原因となる目やにの付着を抑制することができる樹脂組成物、及び異物の少ないフィルム、繊維に関するものである。【解決手段】  熱可塑性ウレタン樹脂、ポリエステル系エラストマー、ポリアミド系エラストマーのうち少なくとも１種類の樹脂、アクリル系成分、及び充填剤を含み、アクリル系成分を除く樹脂全体を１００質量部としたときに、充填剤の含有量が１０質量部以上２００質量部以下であることを特徴とする、樹脂組成物。【選択図】なし【特許請求の範囲】
【請求項１】
熱可塑性ウレタン樹脂、ポリエステル系エラストマー、ポリアミド系エラストマーのうち少なくとも１種類の樹脂、アクリル系成分、及び充填剤を含み、アクリル系成分を除く樹脂全体を１００質量部としたときに、充填剤の含有量が１０質量部以上２００質量部以下であることを特徴とする、樹脂組成物。
【請求項２】
熱可塑性ウレタン樹脂を含み、かつポリエステル系エラストマー及び／またはポリアミド系エラストマーを含むことを特徴とする、請求項１に記載の樹脂組成物。
【請求項３】
請求項１または２に記載の樹脂組成物からなる層（Ａ層）を、少なくとも一方の最表面に有することを特徴とする、フィルム。
【請求項４】
前記Ａ層の摩擦係数が０．０５以上０．８０以下であることを特徴とする、請求項３に記載のフィルム。
【請求項５】
せん断かたさが、０．１〜６．０ｇｆ／（ｃｍ・ｄｅｇ）以下であることを特徴とする、請求項３または請求項４に記載のフィルム。
【請求項６】
伸度保持率が、７５％以上であることを特徴とする、請求項３〜５のいずれかに記載のフィルム。
【請求項７】
以下の特徴１及び２を備える層（Ｂ層）を有することを特徴とする、請求項３〜６のいずれかに記載のフィルム。
特徴１：熱可塑性ウレタン樹脂、ポリエステル系エラストマー、ポリアミド系エラストマーのうち少なくとも１種類の樹脂を含む。
特徴２：前記Ａ層のアクリル系成分を除く樹脂全体を１００質量部としたときの、Ａ層における充填剤の含有量をＸａ質量部、Ｂ層のアクリル系成分を除く樹脂全体を１００質量部としたときの、Ｂ層における充填剤の含有量をＸｂ質量部としたときに、Ｘａ＞Ｘｂである。
【請求項８】
前記Ａ層と前記Ｂ層が接することを特徴とする、請求項７に記載のフィルム。
【請求項９】
前記Ａ層／前記Ｂ層／前記Ａ層の２種３層構成であることを特徴とする、請求項７または８に記載のフィルム。
【請求項１０】
空孔率が１０％以上５０％以下であることを特徴とする、請求項３〜９のいずれかに記載のフィルム。
【請求項１１】
透湿度が１，０００ｇ／（ｍ２・ｄａｙ）以上であることを特徴とする、請求項３〜１０のいずれかに記載のフィルム。
【請求項１２】
請求項１または２に記載の樹脂組成物からなる繊維。
【発明の詳細な説明】
【技術分野】
【０００１】
本発明は、フィルム破れや糸切れ、フィルムや繊維の外観不良の原因となる目やにの付着を抑制することができる樹脂組成物、及び異物の少ないフィルム、繊維に関するものである。
【背景技術】
【０００２】
近年、フィルムとして用いるために必要な機械特性を備えた上で、さらに別の機能を有する単体のフィルムが要求されている。例えば、医療、衣料、及び衛生材の分野では、フィルムとして用いるために必要な機械特性に加え、布のような柔らかさや触感が望まれている。
【０００３】
このような分野では、柔らかさの観点で熱可塑性ウレタン系樹脂や透湿性を有する熱可塑性エラストマーを用いたフィルムが検討されてきたが、熱可塑性ウレタン樹脂、ポリエステル系エラストマー、ポリアミド系エラストマーのような透湿性を有する熱可塑性エラストマーよりなるフィルムは粘着性を有するため、単体ではハンドリング性が悪く、良好な触感が得られない。これに対して例えば特許文献１や２では充填剤による表面への滑り性付与等の工夫がなされている。
【先行技術文献】
【特許文献】
【０００４】
【特許文献１】特開平８−５９９８１号公報
【特許文献２】特開２０００−１７１６６号公報
【発明の概要】
【発明が解決しようとする課題】
【０００５】
しかしながら、これらの特許文献に記載の技術のように、多量の充填剤と、熱可塑性ウレタン樹脂、ポリエステル系エラストマー、ポリアミド系エラストマーのような透湿性を有する熱可塑性エラストマーを混合すると、樹脂組成物中に分散して存在する充填剤の近傍において局所的な伸度低下が起こる。そのため、フィルムの溶融製膜時の口金リップ部分に、熱可塑性ウレタン系樹脂あるいは熱可塑性エラストマーと充填剤を含む成分が目やにとなって堆積し、目やにの堆積量が臨界点を超えると異物としてフィルムに付着混入するという現象が起こりやすくなる。同様の現象は溶融紡糸においても見られ、口金ノズル部分に目やにとなって堆積した熱可塑性ウレタン樹脂と充填剤が異物として繊維に付着混入しやすくなる。これらの結果、目やにを起点としたフィルム破れや糸切れ、さらには得られるフィルムや繊維の異物による外観不良を引き起こすという問題があった。
【０００６】
本発明はかかる従来技術の欠点を改良し、フィルム破れや糸切れ、フィルムや繊維の外観不良の原因となる目やにの付着を抑制することができるフィルムや繊維を得るための樹脂組成物、及び異物の少ないフィルム、繊維を提供することを、その課題とする。
【課題を解決するための手段】
【０００７】
上記課題を解決するため、本発明は、下記の構成からなる。
（１）  熱可塑性ウレタン樹脂、ポリエステル系エラストマー、ポリアミド系エラストマーのうち少なくとも１種類の樹脂、アクリル系成分、及び充填剤を含み、アクリル系成分を除く樹脂全体を１００質量部としたときに、充填剤の含有量が１０質量部以上２００質量部以下であることを特徴とする、樹脂組成物。
（２）  熱可塑性ウレタン樹脂を含み、かつポリエステル系エラストマー及び／またはポリアミド系エラストマーを含むことを特徴とする、（１）に記載の樹脂組成物。
（３）  （１）または（２）に記載の樹脂組成物からなる層（Ａ層）を、少なくとも一方の最表面に有することを特徴とする、フィルム。
（４）  前記Ａ層の摩擦係数が０．０５以上０．８０以下であることを特徴とする、（３）に記載のフィルム。
（５）  せん断かたさが、０．１〜６．０ｇｆ／（ｃｍ・ｄｅｇ）以下であることを特徴とする、（３）または（４）に記載のフィルム。
（６）  伸度保持率が、７５％以上であることを特徴とする、（３）〜（５）のいずれかに記載のフィルム。
（７）  以下の特徴１及び２を備える層（Ｂ層）を有することを特徴とする、（３）〜（６）のいずれかに記載のフィルム。
特徴１：熱可塑性ウレタン樹脂、ポリエステル系エラストマー、ポリアミド系エラストマーのうち少なくとも１種類の樹脂を含む。
特徴２：前記Ａ層のアクリル系成分を除く樹脂全体を１００質量部としたときの、Ａ層における充填剤の含有量をＸａ質量部、Ｂ層のアクリル系成分を除く樹脂全体を１００質量部としたときの、Ｂ層における充填剤の含有量をＸｂ質量部としたときに、Ｘａ＞Ｘｂである。
（８）  前記Ａ層と前記Ｂ層が接することを特徴とする、（７）に記載のフィルム。
（９）  前記Ａ層／前記Ｂ層／前記Ａ層の２種３層構成であることを特徴とする、（７）または（８）に記載のフィルム。
（１０）空孔率が１０％以上５０％以下であることを特徴とする、（３）〜（９）のいずれかに記載のフィルム。
（１１）  透湿度が１，０００ｇ／（ｍ２・ｄａｙ）以上であることを特徴とする、（３）〜（１０）のいずれかに記載のフィルム。
（１２）  （１）または（２）に記載の樹脂組成物からなる繊維。
【発明の効果】
【０００８】
本発明は、フィルム破れや糸切れ、フィルムや繊維の外観不良の原因となる目やにの付着を抑制することができる樹脂組成物、及び異物の少ないフィルム、繊維に関するものである。
【発明を実施するための形態】
【０００９】
本発明の樹脂組成物は、熱可塑性ウレタン樹脂、ポリエステル系エラストマー、ポリアミド系エラストマーのうち少なくとも１種類の樹脂、アクリル系成分、及び充填剤を含み、アクリル系成分を除く樹脂全体を１００質量部としたときに、充填剤の含有量が１０質量部以上２００質量部以下であることを特徴とする。
【００１０】
以下に、本発明を実施するための望ましい形態について説明するが、本発明はこれに限定されるものではない。
【００１１】
（熱可塑性樹脂）
本発明の樹脂組成物は、フィルムや繊維とした際に柔らかさを付与する観点から、熱可塑性ウレタン樹脂、ポリエステル系エラストマー、ポリアミド系エラストマーのうち少なくとも１種類の樹脂を含むことが重要である。熱可塑性ウレタン樹脂とは、短鎖グリコールとジイソシアネートによりなるハードセグメント相と、長鎖ポリオールとジイソシアネートよりなるソフトセグメント相とを有するブロックポリマーを指す。熱可塑性ウレタン樹脂は、ソフトセグメントの種類によりポリエーテル系、ポリエステル系、ポリカプロラクトン系、及びポリカーボネート系等に分類される。
【００１２】
また、エラストマーとは、２５℃でゴム弾性を有する高分子量体をいう。ポリエステル系エラストマーとは、ポリエステル構造を主体とするハードセグメント相と柔軟な成分よりなるソフトセグメント相を有するブロックポリマーであって、２５℃でゴム弾性を有するものを指す。また、ポリアミド系エラストマーとは、ポリアミド構造を主体とするハードセグメント相と柔軟な成分よりなるソフトセグメント相を有するブロックポリマーであって、２５℃でゴム弾性を有するものを指す。
【００１３】
本発明の樹脂組成物においては、本発明の効果を損なわない限りいずれの熱可塑性ウレタン樹脂、ポリエステル系エラストマー、ポリアミド系エラストマーを用いてもよいが、樹脂組成物より衣料、医療、及び衛生材等の分野で使用するフィルムを得る場合、フィルムには柔らかさとともに透湿性を要求されることが多い。そのため、このような場合においては、フィルムに透湿性を付与する観点から、熱可塑性ウレタン樹脂の場合であれば、ポリエーテル系の熱可塑性ウレタン樹脂を用いることが好ましく、ポリエステル系エラストマーやポリアミド系エラストマーの場合であれば、ソフトセグメント相がポリエーテル系であるエラストマーを用いることが好ましい。
【００１４】
本発明の樹脂組成物に用いることができるポリエステル系エラストマーの具体例としては、例えば、芳香族ポリエステルと脂肪族ポリエステルとのブロック共重合体、芳香族ポリエステルと脂肪族ポリエーテルとのブロック共重合体等が挙げられるが、透湿性の付与、及び熱可塑性ウレタン樹脂と併せて用いる場合における両者の相溶性の観点から、芳香族ポリエステルと脂肪族ポリエーテルとのブロック共重合体を用いることが好ましい。
【００１５】
本発明の樹脂組成物に用いることができるポリアミド系エラストマーとしては、例えば、透湿性の付与、及び熱可塑性ウレタン樹脂と併せて用いる場合における両者の相溶性の観点から、６−ナイロンと脂肪族ポリエーテルとのブロック共重合体、１２−ナイロンと脂肪族ポリエーテルとのブロック共重合体等を好ましく用いることができる。
【００１６】
フィルムとしたときに高い透湿性を発現する熱可塑性ウレタン樹脂として、例えば、ＢＡＳＦジャパン社製“エラストラン”（登録商標）のＯＰ８５Ａ１０グレードやＥＴ８８５ＦＧグレード等が挙げられる。フィルムに加工した際に高い透湿性を発現することができるポリエステル系エラストマーとしては、例えば、東レ・デュポン社製の“ハイトレル”（登録商標）のＧ３５４８、Ｇ３５４８ＬＮ、及び８２０６グレード等が挙げられる。フィルムに加工した際に高い透湿性を発現することができるポリアミド系エラストマーとしては、例えば、アルケマ社製の“ＰＥＢＡＸ”（登録商標）のＭＶ１０７４、ＭＶ１０４１、及びＭＶ３０００グレード等が挙げられる。
【００１７】
樹脂組成物中の熱可塑性ウレタン樹脂、ポリエステル系エラストマー、ポリアミド系エラストマーの含有量は、本発明の効果を損なわない限り特に限定されないが、フィルムとしたときの柔らかさおよび透湿性のさらなる改良の観点から、後述するアクリル系成分を除く樹脂全体を１００質量％としたときに、３０質量％以上１００質量％以下であることが好ましく、６０質量％以上１００質量％以下であることがより好ましい。なお、熱可塑性ウレタン樹脂、ポリエステル系エラストマー、ポリアミド系エラストマーのうち２種類以上を含む場合や、熱可塑性ウレタン樹脂、ポリエステル系エラストマー、ポリアミド系エラストマーのうち１種類のみを含むが、成分が複数である場合（例えば、ポリエステル系エラストマーのみを含むがポリエステル系エラストマーが２成分以上である場合等）においては、該当する全ての成分を合算して含有量を算出するものとする。
【００１８】
本発明の樹脂組成物は、本発明の効果を損なわなければ、熱可塑性ウレタン樹脂、ポリエステル系エラストマー、ポリアミド系エラストマーのうち少なくとも１種類の樹脂を含む限り、樹脂の種類が１種類でも複数種類でもよく、また、その他にどのような樹脂を含んでもよい。但し、熱可塑性ウレタン樹脂を含む場合、溶融加工時における樹脂組成物の安定性向上、フィルムや繊維としたときの柔らかさの維持、熱可塑性ウレタン樹脂との相溶性、衣料、医療、及び衛生材等の透湿性を要求される用途への適用性、及び後述するフィルムとしたときのエンボス加工性向上の観点から、熱可塑性ウレタン樹脂を含み、かつポリエステル系エラストマー及び／またはポリアミド系エラストマーを含むことが好ましい。
【００１９】
本発明の樹脂組成物中において熱可塑性ウレタン樹脂とともにポリエステル系エラストマー、及び／またはポリアミド系エラストマーを用いる場合の、ポリエステル系エラストマーやポリアミド系エラストマーの含有量は、本発明の効果を損なわない限り特に限定されないが、フィルムに加工する際の製膜安定性や、エンボス加工性のさらなる改良の観点から、後述するアクリル系成分を除く樹脂全体を１００質量％としたときに、１０質量％以上９０質量％以下であることが好ましく、２０質量％以上８０質量％以下であることがより好ましく、３０質量％以上７０質量％以下であることがさらに好ましい。
【００２０】
ポリエステル系エラストマーやポリアミド系エラストマーは、本発明の効果を損なわない限り、１種類のみを用いても、複数種類を混合して用いてもよい。複数種類を混合して用いる場合、その含有量は個々の成分ごとではなく全ての成分を合算して算出するものとする。なお、ここで複数種類を混合するとは、ポリエステル系エラストマーとポリアミド系エラストマーを混合する態様だけでなく、ポリエステル系エラストマーのみ又はポリアミド系エラストマーのみを複数種類混合する態様も含む。
【００２１】
（充填剤）
本発明の樹脂組成物は、フィルムや繊維とした際の機械特性の維持、粘着（ブロッキング）防止性やハンドリング性の向上、及びフィルムとしたときの触感向上の観点から、充填剤を含むこと、及び後述するアクリル系成分を除く樹脂全体を１００質量部としたときに、充填剤の含有量が１０質量部以上２００質量部以下であることが重要である。充填剤とは、樹脂組成物中に含有させたときに、その諸性質の改善効果、及び／または樹脂組成物の体積を増加させる効果が認められる不活性物質をいう。充填剤を含有させることにより、樹脂組成物の諸性質の改善だけでなく、製品の製造コストを低減させることもできる。
【００２２】
後述するアクリル系成分を除く樹脂全体を１００質量部としたときに、充填剤の含有量が１０質量部以上であることにより、ブロッキング防止性、ハンドリング性、及びフィルムや繊維としたときの触感が向上する。また、後述するアクリル系成分を除く樹脂全体を１００質量部としたときに、充填剤の含有量が２００質量部以下であることにより、フィルムや繊維として使用する際の実用的な機械特性を維持することができる。機械特性と後述する透湿度の観点から、充填剤の含有量のより好ましい範囲は、後述するアクリル系成分を除く樹脂全体１００質量部に対して２０質量部以上１５０質量部以下であり、さらに好ましくは、３０質量部以上１００質量部以下である。
【００２３】
充填剤の種類は、本発明の効果を損なわない限り特に限定されず、無機の充填剤及び／または有機の充填剤を使用することができる。
【００２４】
また、充填剤は１種類であっても複数種類を混合したものであってもよい。但し、フィルムや繊維とした際に心地良い触感を付与する観点から、充填剤は無機充填剤であることが好ましく、炭酸カルシウム、炭酸バリウム、炭酸マグネシウム、硫酸バリウム、硫酸カルシウム、酸化ケイ素（シリカ）、酸化チタン、酸化亜鉛、マイカ、タルク、カオリン、クレー、及びモンモリロナイトのうち少なくとも１種類を用いることがより好ましく、安全性、汎用性、及びコスト等の観点から炭酸カルシウムを用いることがさらに好ましい。このような態様とすることにより、フィルムや繊維としたときの触感が向上し、特にフィルムとしたときには心地よい触感を付与することができる。
【００２５】
樹脂組成物が充填剤を含む場合、樹脂組成物中における樹脂と充填剤の組み合わせによって、樹脂組成物をシート状あるいは糸状に成型した際に伸度が低下することがある。このような問題は、熱可塑性ウレタン樹脂、ポリエステル系エラストマー、ポリアミド系エラストマーのうち、ポリエステル系エラストマー又はポリアミド系エラストマーを最も多く含む樹脂組成物をシート状に成型し、これを延伸する場合において生じやすい。
【００２６】
上記問題点を軽減する観点から、このような場合においては、充填剤として金属の硫酸塩を用いることがより好ましく、その中でも安全性、汎用性、及びコスト等の観点から硫酸バリウムを用いることがさらに好ましい。このような態様とすることにより、樹脂組成物をシート状に成型したときの伸度低下が軽減され、その後の工程において２倍以上に延伸することが容易となる。その結果、このようにして得られるフィルムは、空孔率が高く透湿度に優れたものとなる。
【００２７】
（アクリル系成分）
本発明の樹脂組成物は、熱可塑性ウレタン樹脂、ポリエステル系エラストマー、ポリアミド系エラストマーのうち少なくとも１種類と充填剤を含むため、樹脂組成物中に分散する充填剤近傍での伸度低下により、溶融製膜時や溶融紡糸時の口金リップ部やノズル部への熱可塑性ウレタン樹脂、ポリエステル系エラストマー、ポリアミド系エラストマーと充填剤を含む樹脂組成物の堆積が起こり、この堆積物の一部が製膜中のフィルム表面や紡糸中の繊維表面に異物として混入しやすくなる（以下、この堆積物を目やにということがある。）危険性をはらんでおり、充填剤として炭酸カルシウムを用いる場合には、特にこの現象が顕著となる。本発明の樹脂組成物は、フィルム破れや糸切れの起点となり、かつ外観不良の原因ともなる目やにの発生を軽減する観点から、アクリル系成分を含むことが重要である。
【００２８】
本発明においてアクリル系成分とは、アクリル系モノマーの重合により得られる高分子量体のうち、高分子量体鎖全体を１００モル％としたときに、アクリル系モノマー由来成分を７０モル％以上１００モル％以下含むものをいう。アクリル系成分は、熱可塑性ウレタン系樹脂との相溶性に優れ、かつ樹脂組成物と口金リップ部やノズル部との摩擦を低減させるため、樹脂組成物がアクリル系成分を含むことにより、目やに防止効果を得ることができる。その結果、本発明の樹脂組成物をフィルムや繊維に溶融加工する際の加工性や、溶融加工後のフィルムや繊維の機械特性を実用的な範囲に維持することが可能となる。
【００２９】
本発明におけるアクリル系成分は、本発明の効果を損なわない限り特に制限されず、例えば、メチルアクリレート、エチルアクリレート、ブチルアクリレート、２−エチルヘキシルアクリレート、ベンジルアクリレート、シクロヘキシルアクリレート、フェニルアクリレート、クロロエチルアクリレート等のアクリル酸エステル単量体や、メチルメタアクリレート、エチルメタアクリレート、ブチルメタアクリレート、２−エチルヘキシルメタアクリレート、ベンジルメタアクリレート、シクロヘキシルメタアクリレート、フェニルメタアクリレート、クロロエチルメタアクリレート等のメタクリル酸エステル単量体の単独重合体、あるいはこれらの単量体二種以上を共重合させた共重合体等を用いることができる。中でも、熱可塑性ウレタンとの親和性や摩擦軽減に伴う目やに低減効果の観点から、メチルメタアクリレート、ブチルメタアクリレート、及びブチルアクリレートの３成分の共重合体を用いることが好ましく、このようなアクリル系成分としては、例えば、三菱レイヨン（株）社製“メタブレン”（商標登録）のＬ１０００グレードが挙げられる。
【００３０】
アクリル系成分の含有量は、目やに抑制効果、加工性、及びフィルムや繊維の機械特性維持の観点から、アクリル系成分を除く樹脂全体１００質量部に対して、０．１質量部以上３５質量部以下であることが好ましく、１質量部以上２０質量部以下であることがより好ましく、３質量部以上１０質量部以下であることがさらに好ましい。
【００３１】
（Ａ層を有するフィルム）
本発明のフィルムは、本発明の樹脂組成物からなる層（Ａ層）を、少なくとも一方の最表面に有することを特徴とする。このようなフィルムは、医療分野では細菌やウイルス等に対して、衣料分野では風雨や汚染物質等に対しての遮断材料として用いることができ、衛生材の分野では、例えば生理用品であれば下着への経血、おむつであれば下着への尿の浸透防止材料として用いることができる。
【００３２】
また、Ａ層を少なくとも一方の最表面とすることで、本発明のＡ層を有するフィルムを前記用途に用いる場合に、ブロッキング防止性、ハンドリング性に加え、良好な触感を付与することができる。またＡ層はアクリル系成分を含有するため、口金壁面と直接接触する位置にＡ層を得るための組成物を配置することにより、外観不良や製膜時の破れの原因となる目やにの発生を軽減することがきる。
【００３３】
（Ａ層を有するフィルムの厚み）
本発明のフィルムの厚みは、本発明の効果を損なわない限り特に制限はないが、ハンドリング性及び生産性の観点から、３μｍ以上２００μｍ以下であることが好ましい。ここでいうフィルムの厚みとは、フィルムがＡ層のみの単層構成であるか、Ａ層以外の層を有する積層構成であるかにかかわらず、フィルム全体の厚みをいう。フィルムの厚みは、走査型電子顕微鏡でフィルム断面の写真を観察することにより測定することができる。
【００３４】
フィルムの厚みを３μｍ以上とすることで、フィルムのコシが強くなるため取り扱い性が向上し、ロール巻姿や巻出し性も良好となる。フィルムの厚みを２００μｍ以下とすることで、特にインフレーション製膜法において、自重によりバブルが安定化する。本発明のフィルムに好ましい柔軟性、せん断変形性、及び透湿度を付与する観点を考慮すると、フィルムの厚みは、５μｍ以上５０μｍ以下であることがより好ましく、７μｍ以上２０μｍ以下であることがさらに好ましく、５μｍ以上１０μｍ以下であることが特に好ましい。
【００３５】
（Ｂ層を有する積層フィルム）
本発明のフィルムは単層構成であっても積層構成であってもよいが、積層構成である場合は、製膜性や機械特性の観点から、以下の特徴１及び２を備える層（Ｂ層）を有することが好ましい。
特徴１：熱可塑性ウレタン樹脂、ポリエステル系エラストマー、ポリアミド系エラストマーのうち少なくとも１種類を含む。
特徴２：前記Ａ層のアクリル系成分を除く樹脂全体を１００質量部としたときの、Ａ層における充填剤の含有量をＸａ質量部、Ｂ層のアクリル系成分を除く樹脂全体を１００質量部としたときの、Ｂ層における充填剤の含有量をＸｂ質量部としたときに、Ｘａ＞Ｘｂである。
【００３６】
Ｂ層が熱可塑性ウレタン樹脂、ポリエステル系エラストマー、ポリアミド系エラストマーのうち少なくとも１種類を含むことにより、Ａ層と類似した組成となるため、製膜時にＡ層とＢ層の溶融粘度の違いによるフローマークの発生を抑制しやすくなる。さらにＸａ＞Ｘｂとすることにより、Ａ層単独では充填剤による溶融張力の低下により製膜性や機械特性の低下が起こる場合に、製膜性を向上させることや、高い機械特性を維持しやすくなることがある。また、Ｂ層は本発明の効果を損なわない限り、熱可塑性ウレタン樹脂以外の樹脂やアクリル系成分を含んでもよい。
【００３７】
Ｂ層における熱可塑性ウレタン樹脂、ポリエステル系エラストマー、ポリアミド系エラストマーの含有量は、本発明の効果を損なわない限り特に限定されないが、Ｂ層のアクリル系成分を除く樹脂全体を１００質量％としたときに、１０質量％以上１００質量％以下であることが好ましい。なお、熱可塑性ウレタン樹脂、ポリエステル系エラストマー、ポリアミド系エラストマーのうち２種類以上を含む場合や、熱可塑性ウレタン樹脂、ポリエステル系エラストマー、ポリアミド系エラストマーのうち１種類のみを含むが、成分が複数である場合（例えば、ポリエステル系エラストマーのみを含むがポリエステル系エラストマーが２成分以上である場合等）においては、該当する全ての成分を合算して含有量を算出するものとする。
【００３８】
Ｂ層は、本発明の効果を損なわない限り、充填剤を含んでも含まなくてもよい。Ｂ層が充填剤を含む場合、Ｂ層における充填剤の種類としては、本発明の効果を損なわない限り特に限定されないが、Ａ層と同じものであることが好ましい。
【００３９】
（積層フィルムの層構成）
前記Ａ層およびＢ層を有する積層フィルムは、Ａ層が少なくとも一方の表面に配置されている限り特に制限されないが、後述するせん断かたさや透湿度の観点からＡ層とＢ層が接することが好ましく、Ａ層／Ｂ層／Ａ層の２種３層構成であることがより好ましい。Ａ層とＢ層が接する積層構成とすることにより、層間密着力の不足による層間剥離を抑制しやすくなる。
【００４０】
本発明のフィルムがＡ層／Ｂ層／Ａ層の２種３層構成等のＡ層を複数有する場合において、Ａ層の組成は、本発明の効果を損なわない限り同一であっても異なっていてもよい。但し、フィルムの生産性の観点から、Ａ層の組成は同一であることが好ましい。
【００４１】
（摩擦係数）
本発明フィルムは、フィルムの少なくとも一つの面に触れた際の触感を向上させる観点から、Ａ層の摩擦係数が、０．０５以上０．８０以下であることが好ましい。ここで摩擦係数とは、Ｋａｗａｂａｔａ  Ｅｖａｌｕａｔｉｏｎ  Ｓｙｓｔｅｍ法（ＫＥＳ法）に従い測定される摩擦係数をいい、具体的には、２３℃、相対湿度６５％の雰囲気下で、滑り子として標準摩擦子（指紋タイプ）を取り付け、荷重１２ｇｆ、１ｍｍ／ｓｅｃの速度で滑り子をサンプルの表面で移動させて、ＫＥＳ法により測定される摩擦係数をいう。
【００４２】
フィルムの触感の心地良さ、ブロッキング防止性、ハンドリング性の向上と、フィルムとしての機械特性の両立の観点から、Ａ層の摩擦係数は、０．０５以上０．５０以下であることがより好ましい。
【００４３】
なお、両最外層にＡ層が位置する場合においては、少なくとも一方のＡ層表面において、摩擦係数が０．０５以上０．８０以下であれば、「Ａ層の摩擦係数が０．０５以上０．８０以下である」ものとして扱うこととする。
【００４４】
Ａ層の摩擦係数を０．０５以上０．８０以下又は上記の好ましい範囲とするための方法は、本発明の効果を損なわない限り特に限定されないが、例えば、フィルムを得るための樹脂組成物の組成を調整する方法、フィルムの厚みを調整する方法、せん断かたさを調整する方法、及び層構成を調整する方法等が挙げられる。具体的には、前記の熱可塑性ウレタン樹脂、ポリエステル系エラストマー、ポリアミド系エラストマーと充填剤を好ましいものとして挙げたものにすること、充填剤の含有量を増加させること、及び剛性の高いポリエステル系エラストマーを用いてせん断かたさを上げること等により、摩擦係数を小さくすることができる。
【００４５】
（せん断かたさ（Ｇ））
本発明のフィルムは、布のような柔らかさを付与する観点から、せん断かたさ（Ｇ）が０．１ｇｆ／（ｃｍ・ｄｅｇ）以上６．０ｇｆ／（ｃｍ・ｄｅｇ）以下であること好ましい。
【００４６】
せん断変形とは、経糸と緯糸とが交差することにより構成されている布がもっとも容易に受ける変形様式をいう。２次元の布が３次元の曲面を容易にカバーすることができるのはこのせん断変形に大きく依存し、せん断変形が大きい、つまり、せん断かたさ（Ｇ）が小さい方が人体のような曲面によりフィットし易く、着用感がよいものとなる。つまり、せん断かたさ（Ｇ）が０．１ｇｆ／（ｃｍ・ｄｅｇ）以上６．０ｇｆ／（ｃｍ・ｄｅｇ）以下であるフィルムは、例えば衛生材等の人体に着用する可能性のある用途に使用される際に好ましいものとなる。
【００４７】
せん断かたさ（Ｇ）とは、ＫＥＳ法に従い測定される長手方向及び幅方向のせん断応力より算出するせん断かたさ（Ｇ）をいう。より具体的には、せん断変形が−２．５°、−０．５°、０．５°、及び２．５°である点における、長手方向及び幅方向のせん断応力をＫＥＳ法により測定し（以下、各点におけるせん断応力をそれぞれＨＧ−２．５、ＨＧ−０．５、ＨＧ０．５、ＨＧ２．５ということがある）、長手方向及び幅方向について、式Ｇ１を用いて正方向のせん断かたさ（Ｇ（＋））を、式Ｇ２を用いて負方向のせん断かたさ（Ｇ（−））を算出し、長手方向及び幅方向のＧ（＋）及びＧ（−）を平均して得られるせん断かたさ（Ｇ）をいう。なお、せん断応力の測定時の条件は、２３℃、相対湿度６５％の雰囲気下、強制荷重１０ｇｆ、せん断ずり速度０．４１７ｍｍ／ｓｅｃ、及び試料のせん断変形範囲−８°〜８°である。なお、長手方向とは、フィルムを製造する際にフィルムが進行する方向（ロール状になっている場合は巻き方向）をいい、幅方向とは、フィルムの搬送面に平行であり、長手方向と直交する方向をいう。
式Ｇ１：Ｇ（＋）＝（ＨＧ２．５−ＨＧ０．５）／（２．５°−０．５°）
式Ｇ２：Ｇ（−）＝（ＨＧ−２．５−ＨＧ−０．５）／（−２．５°−（−０．５°））  
フィルムのせん断変形性をより向上させる観点から、せん断かたさ（Ｇ）は、０．１ｇｆ／（ｃｍ・ｄｅｇ）以上３．０ｇｆ／（ｃｍ・ｄｅｇ）以下であることがより好ましく、０．１ｇｆ／（ｃｍ・ｄｅｇ）以上１．０ｇｆ／（ｃｍ・ｄｅｇ）以下であることがより好ましい。
【００４８】
前記のフィルムのせん断かたさ（Ｇ）を０．１ｇｆ／（ｃｍ・ｄｅｇ）以上６．０ｇｆ／（ｃｍ・ｄｅｇ）以下、または上記の好ましい範囲とするための方法は、本発明の効果を損なわない限り特に限定されないが、例えば、フィルムを得るための樹脂組成物の組成を調整する方法、厚みを調整する方法、層構成を調整する方法、及びエンボス加工による３次元形状を付与する方法等が挙げられる。具体的には、熱可塑性ウレタン樹脂の含有量を増加させることや、エンボス加工により凹凸形状を付与して空間自由度を作り出すこと等で、せん断かたさ（Ｇ）を小さくすることができる。
【００４９】
（フィルムの伸度保持率）
本発明のフィルムは、せん断かたさを小さくして布のような柔らかさを持たせることや、布のような心地よい触感を持たせることを目的として、製膜後にエンボス加工を施して表面凹凸形状を付与することがある。エンボス加工性を向上させる観点から、本発明のフィルムは、伸度保持率が、７５％以上であることが好ましい。伸度保持率とは、１２０℃の雰囲気下にて１分間、フィルムを長手方向に１．５倍の長さに伸長させた後のフィルム長手方向の伸度保持率を意味する。ここで、長手方向とはフィルム製造時にフィルムが進行する方向をいう。
【００５０】
伸度保持率が７５％以上であることにより、エンボス加工性に優れたフィルムとなり、エンボス加工により所望の形状を有する凹部及び／または凸部の形成が容易となる。一方、伸度保持率が７５％を下回ると、エンボス加工による凹部及び／または凸部の形成が困難なことがある。
【００５１】
伸度保持率は、以下の方法により測定することができる。
【００５２】
先ず、温度を１２０℃に調整した恒温槽の中で、１５０ｍｍ（長手方向）×１０ｍｍ（幅方向）の短冊状のフィルムサンプルを、チャック間のフィルムサンプルの長手方向の長さが５０ｍｍとなるように、チャック間距離が５０ｍｍである２つのチャックに固定する。次いで、２つのチャックで固定されたフィルムサンプルの中心点（２つのチャックからの距離が共に２５ｍｍであり、長手方向と平行な２つの辺からの距離が共に５ｍｍである点）が中点となるように、フィルムサンプルに長手方向と平行な３０ｍｍの直線を引き、引張速度２００ｍｍ／分でフィルムを長手方向に１．５倍の長さ（チャック間距離７５ｍｍ）に伸長させて１分間保持する。その後、伸長を開放してフィルムサンプル上の直線の長さ（ｍｍ）を測定し、以下の式よりフィルム長手方向の伸度保持率を算出する。なお、幅方向とはフィルム面に平行かつ長手方向と垂直な方向をいう。
フィルム長手方向の伸度保持率（％）＝１００×（伸長開放後の直線の長さ−３０）／（４５−３０）
フィルム長手方向の伸度保持率は、エンボス加工性のさらなる改良の観点から、高いほど好ましい。そのため、フィルム長手方向の伸度保持率は、８０％以上１００％以下であることがより好ましく、９０％以上１００％以下であることがさらに好ましい。
【００５３】
本発明のフィルムの伸度保持率を７５％以上、または上記の好ましい範囲とするための方法は、本発明の効果を損なわない限り特に限定されないが、例えば、フィルムを得るための樹脂組成物の組成を調整する方法、厚みを調整する方法、及び層構成を調整する方法が挙げられる。具体的には、フィルムを得るための樹脂組成物として熱可塑性ウレタン樹脂を用いる場合は、ポリエステル系エラストマーやポリアミド系エラストマーを含むものとし、かつ、ポリエステル系エラストマーやポリアミド系エラストマーの含有量を増加させることや、後述する充填剤の含有量を増加させることにより、フィルム長手方向の伸度保持率を高くすることができる。
【００５４】
なお、フィルムがロールに巻き取られたものである場合は、長手方向や幅方向を容易に特定することができるが、ロールに巻かれていないシート状のフィルムの場合は、長手方向や幅方向を容易に特定することができない。このような場合においては、後述の方法により任意に選択した一方向についてフィルムのヤング率を測定した後に、フィルムを右に５°回転させて同様の測定を行い、これを１７５°に達するまで繰り返して最もヤング率の値が大きい方向を長手方向として扱うものとする。以下、本発明において同様とする。
【００５５】
ヤング率は１５０ｍｍ（測定方向）×１０ｍｍの短冊状をしたフィルムサンプルについて、短冊の長手方向に２３℃、相対湿度６５％の雰囲気下で、初期引張チャック間距離５０ｍｍ、引張速度２００ｍｍ／分として、ＪＩＳ  Ｋ−７１２７（１９９９）に規定された方法に従い測定することができる。
【００５６】
（フィルムの空孔率）
本発明のフィルムは、機械特性を維持しつつ後述する透湿度を向上させる観点から、空孔率が１０％以上５０％以下であることが好ましい。空孔率が１０％以上５０％以下であれば、フィルムは衛生材等の用途に用いることができるレベルの透湿性及び機械特性を容易に実現できる。空孔率は、より好ましくは２０％以上５０％以下、さらに好ましくは３０％以上４０％以下である。
【００５７】
空孔率は、以下の方法により測定することができる。先ず、室温２３℃、相対湿度６５％の雰囲気にて、電子比重計によりフィルムの比重（ρ）を測定する。次いで、該フィルムを温度２１０℃、圧力５ＭＰａで熱プレスして２５℃の水で急冷することにより無孔シート状物を作成し、この無孔シート状物の比重（ｄ）を同様に測定する。こうして得られたフィルムの比重（ρ）と無孔シート状物の比重（ｄ）から、以下の式により空孔率を算出する。
空孔率（％）＝〔（ｄ−ρ）／ｄ〕×１００
フィルムの空孔率を１０％以上５０％以下又は上記の好ましい範囲とするための手段は、本発明の効果を損なわない限り特に限定されないが、例えば、フィルムを得るための樹脂組成物の組成を調整するとともに、後述する延伸方法においてフィルムを得る方法が挙げられる。具体的には、熱可塑性ウレタン樹脂、アクリル系成分、充填剤を含む樹脂組成物より得られた無配向フィルムを、後述する延伸方法において延伸倍率を小さくすれば空孔率を小さくすることができ、延伸倍率を大きくすれば空孔率を大きくすることができる。
【００５８】
（フィルムの透湿度）
本発明のフィルムは、衛生材や衣服などの透湿性が要求される用途に使用する場合、透湿度が１，０００ｇ／（ｍ２・ｄａｙ）以上であることが好ましい。ここで透湿度とは、水蒸気の透過性の指標であり、より具体的には、２５℃、９０％ＲＨに設定した恒温恒湿装置にて、ＪＩＳ  Ｚ０２０８（１９７６）に規定された方法により測定する透湿度をいう。透湿度が１，０００ｇ／（ｍ２・ｄａｙ）以上であれば、衛生材や衣服として用いる際に皮膚とフィルムの間に滞留する水蒸気をスムーズにフィルム外に排出することができ、快適な着用感が得られる。
【００５９】
上記観点から、透湿度が、１，５００ｇ／（ｍ２・ｄａｙ）以上であることがより好ましく、２，０００ｇ／（ｍ２・ｄａｙ）以上であることがさらに好ましく、２，５００ｇ／（ｍ２・ｄａｙ）以上であることが特に好ましい。また、透湿度は大きいほど好ましく上限は特にないが、衛生材に適用するとの観点からすると、上限は８，０００ｇ／（ｍ２・ｄａｙ）程度あれば十分である。
【００６０】
透湿度を１，０００ｇ／（ｍ２・ｄａｙ）以上又は上記の好ましい範囲とするための方法は、本発明の効果を損なわない限り特に限定されないが、例えば、フィルムを得るための樹脂組成物の組成を調整する方法、フィルムの厚みを調整する方法、及び層構成を調整する方法、延伸によりフィルムに空孔を形成する方法が挙げられる。具体的には、フィルムを得るための樹脂組成物をポリエステル系エラストマー、又は熱可塑性ウレタン樹脂とポリエステル系エラストマーを含むものとし、かつ、充填剤の含有量を増加させることや、高い倍率で延伸を行いフィルムの空孔率を大きくすることにより、フィルムの透湿度を大きくすることができる。
【００６１】
（フィルムの破断伸度）
本発明のフィルムは、引張りやねじり、突き刺し等の外力による破れを軽減する観点から、本発明の樹脂組成物よりなるフィルムは、長手方向の破断伸度と幅方向の破断伸度が共に１００％以上であることが好ましく、２００％以上であることがより好ましく、３００％以上であることがさらに好ましい。このような態様とすることにより、衛生材や衣服などに使用してもフィルムが破断しにくくなる。長手方向及び幅方向の破断伸度はどちらも高ければ高いほど好ましいが、衛生材や衣服などに使用する観点から１，０００％程度あれば十分である。
【００６２】
ここで、破断伸度とは、測定方向の長さが１００ｍｍであり、測定方向と垂直な方向の長さが１０ｍｍである短冊状のサンプルを、室温２３℃、相対湿度６５％、初期引張チャック間距離４０ｍｍ、引張速度２００ｍｍ／分の条件にて、ＪＩＳ  Ｋ−７１２７（１９９９）に規定された方法により測定した破断伸度をいう。
【００６３】
長手方向の破断伸度と幅方向の破断伸度を共に１００％以上又は上記の好ましい範囲とするための方法は、本発明の効果を損なわない限り特に限定されないが、例えば、フィルムを得るための樹脂組成物の組成調整する方法、厚みを調整する方法、積層構成を調整する方法及び、延伸倍率を調整する方法等が挙げられる。具体的には、熱可塑性ウレタン樹脂、ポリエステル系エラストマー、ポリアミド系エラストマーとともに用いる充填剤やアクリル系成分の量を上記の好ましい範囲に留めることにより、長手方向の破断伸度と幅方向の破断伸度を大きくすることができる。また、延伸倍率を後述する好ましい範囲内に留めることにより、延伸方向の破断伸度を大きくすることができる。
【００６４】
（本発明の樹脂組成物よりなる繊維）
本発明の樹脂組成物は、溶融紡糸法により繊維としてもよい。かかる方法により得られる繊維は、目やにに起因する異物が少ないものであるため、紡糸工程における糸切れが軽減される他、高強度・高伸度となり好ましい。
【００６５】
（添加剤）
本発明の樹脂組成物は、本発明の効果を損なわない範囲で前述した成分以外の成分を含有してもよい。例えば、酸化防止剤、紫外線安定化剤、着色防止剤、艶消し剤、抗菌剤、消臭剤、耐候剤、抗酸化剤、イオン交換剤、着色顔料、染料などを含有してもよい。
【００６６】
（フィルムの製造方法）
次に、本発明の樹脂組成物および、該樹脂組成物を用いたフィルムを製造する方法について具体的に説明するが、本発明の樹脂組成物やフィルムの製造方法はこれに限定されるものではない。
【００６７】
本発明の樹脂組成物、すなわち、熱可塑性ウレタン樹脂、ポリエステル系エラストマー、ポリアミド系エラストマーのうち少なくとも１種類の樹脂、充填剤、アクリル系成分を含有する樹脂組成物を得るにあたっては、各成分を溶融混練することにより樹脂組成物を製造する溶融混練法が好ましい。溶融混練方法については、特に制限はなく、ニーダー、ロールミル、バンバリーミキサー、単軸または二軸押出機などの公知の混合機を用いることができる。中でも生産性の観点から、単軸または二軸押出機の使用が好ましい。
【００６８】
次に、上記した方法により得られた樹脂組成物を用いて、インフレーション法、チューブラー法、Ｔダイキャスト法などの公知のフィルムの製造方法により、無配向フィルムを得ることができる。
【００６９】
さらに、軽量化、透湿性向上を目的として、得られた無配向フィルムを一軸又は二軸延伸してもよい。一軸延伸を行う場合は、延伸倍率に対する装置限界が高いという観点から、長手方向に延伸（以下、縦延伸ということがある。）を行うことが好ましい。縦延伸を行う場合の好ましいロール温度は１０℃以上９０℃以下である。また、好ましい延伸倍率は２倍以上１０倍以下であり、この温度および倍率の範囲で延伸を行うことにより、フィルムの空孔率を１０％以上５０％以下として実用的な透湿度を有するフィルムとし易くなる。フィルムとしたときの機械特性も考慮すると、延伸倍率は３倍以上８倍以下がより好ましく、４倍以上６倍以下がさらに好ましい。また、延伸したフィルムは、延伸後の収縮による空孔の消滅を抑える意味で熱処理を施すことが好ましい。熱処理温度は延伸温度＋１０℃以上であることが好ましい。
【００７０】
フィルムを製膜した後に、印刷性、ラミネート適性、コーティング適性などを向上させる目的で各種の表面処理を施しても良い。表面処理の方法としては、コロナ放電処理、プラズマ処理、火炎処理、酸処理などが挙げられる。いずれの方法をも用いることができるが、連続処理が可能であり、既存の製膜設備への装置設置が容易な点や処理の簡便さから、コロナ放電処理がより好ましい。
【００７１】
（その他用途など）
このようにして得られた本発明の樹脂組成物からなる層（Ａ層）を、少なくとも一方の最表面に有するフィルムは、目やにに起因するフィルム破れ、機械特性低下、加工性低下、及び外観不良が少なく、エンボス加工のような大きな変形を伴う加工や意匠性を要する用途において好適に用いることができる。また、本発明のフィルムは、布のような柔らかさや触感を有するため、衛生材料や衣料等にて布や不織布の代替として用いることができる。
【実施例】
【００７２】
以下に実施例を示して本発明をさらに具体的に説明するが、本発明はこれにより何ら制限を受けるものではない。
【００７３】
［測定および評価方法］
実施例中に示す測定や評価は次に示すような条件で行った。なお、厚み方向とは、長手方向及び幅方向に垂直な方向をいうものとする。
【００７４】
（１）フィルムの厚みおよび積層フィルムの各層の厚み、積層比
フィルムからサンプル片を切り出し、ウルトラミクロトームを用いて該サンプル片の長手方向−厚み方向断面（以下、フィルム断面ということがある。）を観察面とするように−１００℃で超薄切片を採取した。走査型電子顕微鏡（（株）日立ハイテクノロジーズ社製  Ｓ−３４００Ｎ）を用いて倍率５００倍〜１，５００倍でフィルム断面の写真を撮影し、顕微鏡の測長機能を用いてフィルムの厚みおよび積層フィルムの各層の厚みを測定した。測定は、観察箇所を変えて１０回行い、得られた値の平均値をフィルムの厚み（μｍ）および積層フィルムの各層の厚み（μｍ）とするとともに、得られた各層の厚み比より積層比を算出した。なお、フィルムの厚みは、小数第１位を四捨五入して得られた値とした。なお、厚み方向とは、長手方向及び幅方向に垂直な方向をいう。
【００７５】
（２）伸度保持率
先ず、１２０℃に調整した恒温槽の中で、１５０ｍｍ（長手方向）×１０ｍｍ（幅方向）の短冊状のフィルムサンプルを、チャック間のフィルムサンプルの長手方向の長さが５０ｍｍとなるように、チャック間距離が５０ｍｍである２つのチャックに固定した。次いで、２つのチャックで固定されたフィルムサンプルの中心点（２つのチャックからの距離が共に２５ｍｍであり、長手方向と平行な２つの辺からの距離が共に５ｍｍである点）が中点となるように、フィルムサンプルに長手方向と平行な３０ｍｍの直線を引き、引張速度２００ｍｍ／分でフィルムを長手方向に１．５倍の長さ（チャック間距離７５ｍｍ）に伸長させて１分間保持した。その後、伸長を開放してフィルムサンプル上の直線の長さを測定し、以下の式より伸度保持率（％）を算出した。なお、測定は１０回行い、その平均値をフィルムの伸度保持率（％）とした。
伸度保持率（％）＝１００×（伸長開放後の直線の長さ−３０）／（４５−３０）
（３）フィルムのせん断かたさ（Ｇ）
フィルムを１２ｃｍ（長手方向）×１２ｃｍ（幅方向）の大きさに切取り試料とし、試験台に取り付けた。次いで、カトーテック社製のせん断試験機ＫＥＳ−ＦＢ１−Ａを用いて、２３℃、相対湿度６５％の雰囲気下、強制荷重１０ｇｆ、せん断ずり速度０．４１７ｍｍ／ｓｅｃの条件で、試料に−８°〜８°のせん断変形を与え、せん断変形が−２．５°、−０．５°、０．５°、及び２．５°である点におけるせん断応力を測定した（以下、各点におけるせん断応力をそれぞれＨＧ−２．５、ＨＧ−０．５、ＨＧ０．５、ＨＧ２．５ということがある。）。ＨＧ０．５及びＨＧ２．５より下記式Ｇ１を用いて正方向のせん断かたさ（Ｇ（＋））を、ＨＧ−２．５及びＨＧ−０．５より下記式Ｇ２を用いて負方向のせん断かたさ（Ｇ（−））をそれぞれ算出した。せん断応力の測定およびＧ（＋）、Ｇ（−）の算出は、長手方向、幅方向ともに３回（合計６回）行い、そのすべてのＧ（＋）、Ｇ（−）の値の平均値の小数第２位を四捨五入した値をそのフィルムのせん断かたさ（Ｇ）（ｇｆ／（ｃｍ・ｄｅｇ））とした。
式Ｇ１：Ｇ（＋）＝（ＨＧ２．５−ＨＧ０．５）／（２．５°−０．５°）
式Ｇ２：Ｇ（−）＝（ＨＧ−２．５−ＨＧ−０．５）／（−２．５°−（−０．５°））
なお、長手方向のせん断かたさ（Ｇ）を測定する場合は、フィルムの長手方向がせん断変形方向と直交するように試料を取り付け、幅方向のせん断かたさ（Ｇ）を測定する場合は、フィルムの幅方向がせん断変形方向と直交するように試料を取り付けた。
【００７６】
（４）フィルムの摩擦係数
カトーテック社製の表面特性試験機ＫＥＳ−ＳＥを用いて、フィルムを１２ｃｍ（長手方向）×１２ｃｍ（幅方向）の大きさに切取り試料とし、試験台に取り付けて、滑り子として標準摩擦子（指紋タイプ）を取り付け、荷重１２ｇｆ、１ｍｍ／ｓｅｃの速度で滑り子をフィルムのＡ層表面で移動させ、室温２３℃、相対湿度６５％の雰囲気の条件にてフィルムの巻外面の摩擦係数を測定した。長手方向、幅方向ともに測定をそれぞれ３回（合計６回）行い、そのすべてのデータの平均値をそのフィルムの摩擦係数とした。
【００７７】
（５）フィルムの透湿度
２５℃、９０％ＲＨに設定した恒温恒湿装置にて、ＪＩＳ  Ｚ０２０８（１９７６）に規定された方法に従って測定した。測定は３回行い、得られた値の平均値をフィルムの透湿度（ｇ／（ｍ２・ｄａｙ））とした。なお、フィルムの透湿度はフィルムの巻外面から測定した。
【００７８】
（６）フィルムの製膜安定性
インフレーション法によりブロー比２．０、フィルム厚み２０μｍの条件で製膜を行い、５時間のうちに目やにが原因で起こった製膜破れの回数をカウントし、回数に応じて、下記の６段階で評価した。製膜安定性は５が最も優れている。なお、製膜破れの原因が目やにであるか否かは、破れが起こった部分における目やにに起因する異物の有無により判断した。
５：目やにが原因で起こった製膜破れなし
４：目やにが原因で起こった製膜破れの回数が１回
３：目やにが原因で起こった製膜破れの回数が２回
２：目やにが原因で起こった製膜破れの回数が３回
１：目やにが原因で起こった製膜破れの回数が４回以上又は製膜不可
また、製膜破れが起こった時点から、フィルムのつなぎ合わせを行って製膜を再開するまでの時間は、５時間の評価時間から除外した。
【００７９】
（７）フィルムの空孔率
フィルムを３０ｍｍ×４０ｍｍの大きさ（方向は任意）に切取り試料とした。電子比重計（ミラージュ貿易（株）製ＳＤ−１２０Ｌ）を用いて、室温２３℃、相対湿度６５％の雰囲気にて前記試料の比重を測定した。測定を３回行い、その平均値をそのフィルムの比重（ρ）とした。次に、測定したフィルムを温度２１０℃、圧力５ＭＰａで熱プレスを行い、その後、２５℃の水で急冷して無孔シート状物を作成した。この無孔シート状物の比重を同様に３回測定し、その平均値を樹脂の比重（ｄ）とした。フィルムの比重（ρ）と無孔シート状物の比重（ｄ）から、以下の式により空孔率を算出した。   
空孔率（％）＝〔（ｄ−ρ）／ｄ〕×１００  
（８）フィルムの目やに数
製膜により得られたロール状フィルムサンプルから、ロールの全幅を維持しつつ１０ｍ２分を巻き出し、巻き出した領域について０．５ｍｍ角以上の目やにの数をカウントした。目やにの数は２０個／ｍ２以下であれば、外観上実用性に耐えうるものとみなした。
【００８０】
（９）フィルムのブロッキング性
製膜により紙管に巻き取られたロール状フィルムサンプルを室温２３℃、相対湿度６５％の雰囲気の条件にて空中吊り状態で２４時間放置し、その後巻き外面から５ｍ長のフィルムを巻き出し、以下の基準にてブロッキング性を評価した。ブロッキング性は○を合格とした。
○：フィルム巻き出し時に自己粘着からの引き剥がしによる伸びや破れがなかった。
×：フィルム巻き出し時に自己粘着からの引き剥がしによる伸びや破れがあった。
【００８１】
（１０）破断伸度（％）
オリエンテック社製“ＴＥＮＳＩＬＯＮ”（登録商標）  ＵＣＴ−１００を用いて、室温２３℃、相対湿度６５％の雰囲気にて、引張伸度を測定した。具体的には、１５０ｍｍ（長手方向）×１０ｍｍ（幅方向）の短冊状のフィルムサンプルを、チャック間のフィルムサンプルの長手方向の長さが５０ｍｍとなるように、チャック間距離が５０ｍｍである２つのチャックに固定した。次いで引張速度２００ｍｍ／分で、ＪＩＳ  Ｋ−７１２７（１９９９）に規定された方法にて５回の測定を行い、その平均値の小数第一位を四捨五入した値を長手方向の破断伸度とした。幅方向の破断伸度についても、フィルムサンプルを１５０ｍｍ（幅方向）×１０ｍｍ（長手方向）の短冊状のものとした以外は同様に測定した。
【００８２】
［熱可塑性ウレタン樹脂（Ａ）］
（Ａ１）
熱可塑性ウレタン樹脂（商品名：ＯＰ８５Ａ１０ 、ＢＡＳＦジャパン（株）製）使用前に回転式真空乾燥機にて９０℃で５時間乾燥した。
（Ａ２）
熱可塑性ウレタン樹脂（商品名：ＥＴ８８５ＦＧ、ＢＡＳＦジャパン（株）製）使用前に回転式真空乾燥機にて９０℃で５時間乾燥した。
【００８３】
［熱可塑性ウレタン樹脂以外の樹脂］
（Ｂ１）
ポリエステル系エラストマー（商品名：“ハイトレル”（登録商標） Ｇ３５４８ＬＮ 、東レ・デュポン（株）製）使用前に回転式真空乾燥機にて９０℃で５時間乾燥した。
（Ｂ２）
ポリアミド系エラストマー（商品名：“ＰＥＢＡＸ”（登録商標）ＭＶ１０７３，アルケマ（株）製）使用前に回転式真空乾燥機にて９０℃で５時間乾燥した。
（Ｂ３）
エチレン−メチルメタクリレート共重合体（商品名：“アクリフト”（登録商標）ＷＨ３０３、住友化学工業（株）製）
（Ｂ４）
熱可塑性エチレン樹脂（商品名：ＮＵＣ８５０６、日本ユニカー（株）製）
［充填剤（Ｃ）］
（Ｃ１）
炭酸カルシウム（商品名：カルテックスＲ、丸尾カルシウム（株）製）
（Ｃ２）
硫酸バリウム（商品名：Ｂ−５４、堺化学工業（株）製）
［アクリル系成分又はその他の滑剤（Ｄ）］
（Ｄ１）
アクリル系成分（商品名：“メタブレン”（登録商標）Ｌ１０００、三菱レイヨン（株）製）
（Ｄ２）
ポリエチレンワックス（商品名：“ハイワックス”（登録商標）１１０Ｐ、三井化学（株）製）
（Ｄ３）フッ素系滑剤（商品名：“ソレフ”（登録商標）１１００１０、ソルベイ（株）製）
［フィルムの作製］
（実施例１）
Ａ層組成が、表１に記載の配合比となるようにシリンダー温度１９０℃のスクリュー径４４ｍｍの真空ベント付二軸押出機に供給して溶融混練し、均質化した後にペレット化して樹脂組成物を得た。この樹脂組成物のペレットを、回転式ドラム型真空乾燥機を用いて、温度９０℃で５時間真空乾燥した。真空乾燥した樹脂組成物のペレットをシリンダー温度２００℃、スクリュー径６０ｍｍの単軸押出機に供給し、直径２５０ｍｍ、リップクリアランス１．０ｍｍ、温度１９０℃の環状ダイスより、インフレーション法によりブロー比２．０にてバブル状に上向きに押出し、冷却リングにより空冷し、ダイス上方のニップロールで折りたたみながら、引き取ってロール状に巻き取った。引き取り速度の調整により、厚さ２０μｍのフィルムを得た。得られたフィルムの物性及び評価結果を表１に示した。
【００８４】
（実施例２〜１９、３１〜３６、４１〜４２、比較例１〜３、５〜９、１６、１８）
表１〜３、表５に記載の通りに、樹脂及び充填剤の種類や配合比を変更した以外は実施例１と同様にしてインフレーション法により、厚さ２０μｍのフィルムを得た。得られたフィルムの物性及び評価結果を表１〜３、表５に示した。
【００８５】
（比較例４、１７）
表３、表５に記載の通りに、樹脂及び充填剤の種類や配合比を変更した以外は実施例１と同様にしてインフレーション法により、厚さ２０μｍのフィルム製膜を試みたがフィルム破れによりバブルを形成することができず、フィルムを得ることができなかった。
【００８６】
（実施例２０〜２２、３８〜４０）
表２、表５に記載の通りに、樹脂及び充填剤の種類や配合比を変更した以外は実施例１と同様にしてインフレーション法により、無配向フィルムを得た。続いて、得られた無配向フィルムを１５ｍ／ｍｉｎのライン速度でロール式延伸機に導入し長手方向に、フィルム温度４０℃で表２または表５に記載の倍率に延伸し空孔を有するフィルムとした。続いて定長下、加熱ロール上で、フィルム温度９０℃で１秒間熱処理後、冷却ロール上で冷却し、表２、表５に記載の厚さのフィルムを得た。得られたフィルムの物性及び評価結果を表２、表５に示した。
【００８７】
（実施例２３〜２９、実施例３７、比較例１０〜１３）
表２、表３、表５に記載の通りに、樹脂及び充填剤の種類や配合比を変更し、実施例１と同様にして、Ａ層およびＢ層に用いる樹脂組成物のペレットを得た。そして、表２に記載の積層厚み比となるように、この２種類の樹脂組成物のペレットを、シリンダー温度２００℃で、スクリュー径６０ｍｍのそれぞれ独立した単軸押出機に供給し、２種３層積層タイプ、直径２５０ｍｍ、リップクリアランス１．０ｍｍ、温度を１９０℃に設定した環状ダイスに導き、実施例１と同様にして、厚さ２０μｍのフィルムを得た。得られたフィルムの物性及び評価結果を表２、表３、表５に示した。
【００８８】
（比較例１４）
表３に記載の通りに、樹脂及び充填剤の種類や配合比を変更した以外は比較例１３と同様にしてインフレーション法により、厚さ２０μｍのフィルム製膜を試みたがフィルム破れによりバブルを形成することができず、フィルムを得ることができなかった。
【００８９】
（実施例３０）
表４に記載の通りに、樹脂及び充填剤の種類や配合比を変更し、実施例１と同様に均質化した後にペレット化して樹脂組成物を得た。この樹脂組成物のペレットを、回転式ドラム型真空乾燥機を用いて、温度９０℃で５時間真空乾燥した。真空乾燥した樹脂組成物のペレットを、シリンダー温度２００℃で、スクリュー径６０ｍｍの単軸押出機に供給し、直径３ｍｍの溶融紡糸口金より、直径１００μｍの繊維状に吐出した。得られた繊維１０ｍにわたり、０．５ｍｍ角以上の目やにの付着を目視にて確認した。表４に記載の通り、目やには観測されず、良好な外観を有していた。
【００９０】
（比較例１５）
表４に記載の通りに、樹脂及び充填剤の種類や配合比を変更した以外は、実施例３０と同様にして、繊維状物を得た。得られた繊維について実施例３０と同様に、目やにの付着を目視にて確認したところ、表４に記載の通り２７個の目やにが観測され、外観上劣るものであった。
【００９１】
【表１】
2017226830.tif 000002
【００９２】
【表２】
2017226830.tif 000003
【００９３】
【表３】
2017226830.tif 000004
【００９４】
【表４】
2017226830.tif 000005
【００９５】
【表５】
2017226830.tif 000006
【００９６】
表１〜５における熱可塑性ウレタン樹脂及び熱可塑性ウレタン以外の樹脂の含有量（質量％）は、各層のアクリル系成分を除く樹脂全体を１００質量％として算出した。
表１〜５における充填剤及びアクリル系成分、その他滑剤の含有量（質量部）は、アクリル系成分を除く樹脂全体を１００質量部として算出した。
表１〜３及び表５における長手方向の伸度保持率（％）は、１．５倍の長さに到達する前に破断が起こった場合は、測定不可とした。
【産業上の利用可能性】
【００９７】
本発明は、フィルム破れや糸切れ、フィルムや繊維の外観不良の原因となる目やにの付着を抑制することができる樹脂組成物、及び異物の少ないフィルム、繊維に関するものである。そして、本発明の樹脂組成物から得られるフィルムや繊維は、高効率に生産可能であり、心地よい柔らかさを有し、かつ目やにに起因する外観不良の少ないものである。このような特徴を活かし、本発明のフィルムは、ベッド用シーツ、枕カバー、衛生ナプキンや紙おむつなどの吸収性物品のバックシートといった医療・衛生材、雨天用衣類、手袋などの衣料材料、ゴミ袋や堆肥袋、あるいは野菜や果物などの食品用袋、各種工業製品の袋などの包装材料、ビル、住宅、化粧板といった建材、鉄道車両、船舶、航空機といった輸送機内での内装材料、建築用材料などに好ましく用いることができる。